(57)【要約】【課題】筐体に表示パネルが固定されると共に該表示パネルに対してアースが施された電子機器において、外力の作用に起因する画像欠陥の発生を抑制する。【解決手段】本発明に係る電子機器においては、表示パネル７の表面に透明保持板５が固定されている。表示パネル７は背面金属板70を具え、背面金属板70は２つの側板部71、71を具えている。透明保持板５は、外周縁部51が筐体の枠部30に重ねられている。表示パネル７の背面にはホルダー金具９が設置されると共に、表示パネル７の側部には、背面金属板70の２つの側板部71、71を挟持する一対のアーム部83、83が突設されたアース金具８が設置されている。そして、ホルダー金具９とアース金具８を筐体に固定することにより、ホルダー金具９とアース金具８によって透明保持板５の外周縁部51を筐体の枠部30に固定している。【選択図】図３
2014126734.tif 000002
【特許請求の範囲】
【請求項１】
筐体の内部に表示パネルが収容され、該表示パネルの表面には透明保持板が固定されて、該筐体に開設された窓から透明保持板を透して表示パネルの画面が視認可能である電子機器において、
前記表示パネルはグランド電位に保持すべき背面金属板を具え、該背面金属板は、表示パネルの互いに平行な２つの側面を形成する２つの側板部を具え、
前記透明保持板は前記表示パネルよりも大きな輪郭を有して、該透明保持板の外周縁部が、前記筐体の窓を包囲する枠部の背面に重ねられており、前記表示パネルの背面にはホルダー金具が設置されると共に、前記表示パネルの側部には、前記背面金属板の２つの側板部を両側から挟持する一対のアーム部が突設されたアース金具が設置され、
前記ホルダー金具とアース金具を前記筐体に固定することにより、該ホルダー金具の端部と該アース金具の端部によって前記透明保持板の外周縁部を押圧して、該外周縁部を前記筐体の枠部に固定すると共に、前記アース金具を、前記筐体の内部に配備したグランド電位部に接続したことを特徴とする、表示パネルを具えた電子機器。
【請求項２】
前記ホルダー金具は、前記表示パネルの３つの側面を覆う３つの側板部を具えると共に、前記アース金具は、前記表示パネルの残りの１つの側面を覆う１つの側板部を具え、ホルダー金具の３つの側板部と表示パネルの１つの側板部の先端面が透明保持板の外周縁部を押圧する請求項１に記載の電子機器。
【請求項３】
前記ホルダー金具とアース金具は、前記筐体に対してビスにより共締めされている請求項１又は請求項２に記載の電子機器。
【請求項４】
前記ホルダー金具は、前記表示パネルとは非接触の状態で、前記筐体に固定される請求項１乃至請求項３の何れかに記載の電子機器。
【請求項５】
前記透明保持板の表面には、前記筐体の窓から露出するタッチパネルが固定され、該透明保持板とタッチパネルによって入力操作のためのタッチパネルユニットが構成されている請求項１乃至請求項４の何れかに記載の電子機器。
【発明の詳細な説明】
【技術分野】
【０００１】
本発明は、筐体の内部に表示パネルが収容され、該筐体に開設された窓から表示パネルの画面が視認可能な電子機器に関するものである。
【背景技術】
【０００２】
この種の電子機器においては、表示パネルとして例えば液晶表示パネルが用いられており、液晶表示パネルを構成する背面金属板をグランド電位に保持するべく、種々のアース構造が提案されている(特許文献１)。
【０００３】
例えば、液晶表示パネルの背面金属板の背面に、バネ性を有するアース金具を押し当て、該アース金具をグランド電位部に接続することが行なわれる。
【先行技術文献】
【特許文献】
【０００４】
【特許文献１】特開２０００−１９４９１号公報
【発明の概要】
【発明が解決しようとする課題】
【０００５】
ところで、近年の液晶表示パネルの高精細度化に伴って、液晶表示パネルに対する外力の作用に起因して、モアレ画像の出現や白化(光抜け)等の画像欠陥が目立ち易いものとなっている。
この様な液晶表示パネルを具えた電子機器において上述のアース構造を採用した場合、アース金具の弾性反発力が液晶表示パネルの背面に作用するため、この力が画像欠陥の原因となる。
【０００６】
又、液晶表示パネルの表面にタッチパネルを配備した電子機器においては、タッチパネルの操作に伴って、その操作力が液晶表示パネルに作用して、モアレ画像の出現や白化(光抜け)等の画像欠陥が発生する問題がある。
【０００７】
そこで本発明の目的は、筐体に表示パネルが配備されると共に該表示パネルに対してアースが施された電子機器において、外力の作用に起因する画像欠陥の発生を効果的に抑制することである。
【課題を解決するための手段】
【０００８】
本発明に係る電子機器においては、筐体(１)の内部に表示パネル(７)が収容され、該表示パネル(７)の表面には透明保持板(５)が固定されて、該筐体(１)に開設された窓(31)から透明保持板(５)を透して表示パネル(７)の画面が視認可能である。
【０００９】
ここで、前記表示パネル(７)はグランド電位に保持すべき背面金属板(70)を具え、該背面金属板(70)は、表示パネル(７)の互いに平行な２つの側面を形成する２つの側板部(71)(71)を具えている。
前記透明保持板(５)は前記表示パネル(７)よりも大きな輪郭を有して、該透明保持板(５)の外周縁部(51)が、前記筐体(１)の窓(31)を包囲する枠部(30)の背面に重ねられており、前記表示パネル(７)の背面にはホルダー金具(９)が設置されると共に、前記表示パネル(７)の側部には、前記背面金属板(70)の２つの側板部 (71)(71)を両側から挟持する一対のアーム部(83)(83)が突設されたアース金具(８)が設置されている。
【００１０】
そして、前記ホルダー金具(９)とアース金具(８)を前記筐体(１)に固定することにより、該ホルダー金具(９)の端部と該アース金具(８)の端部によって前記透明保持板(５)の外周縁部(51)を押圧して、該外周縁部(51)を前記筐体(１)の枠部(30)に固定すると共に、前記アース金具(８)を、前記筐体(１)の内部に配備したグランド電位部(32)(32)に接続している。
【００１１】
上記本発明の電子機器によれば、表示パネル(７)の表面に透明保持板(５)を固定し、該透明保持板(５)の外周縁部(51)を、ホルダー金具(９)とアース金具(８)を用いて、筐体(１)の枠部(30)に固定する固定構造が採用されているので、透明保持板(５)の表面に押圧力が作用したとしても、該押圧力は透明保持板(５)を介してホルダー金具(９)及びアース金具(８)によって受け止められ、表示パネル(７)には作用しない。
【００１２】
又、アース金具(８)の一対のアーム部(83)(83)によって、表示パネル(７)の背面金属板(70)の２つの側板部(71)(71)を両側から挟持し、該アース金具(８)をグランド電位部(32)(32)に接続するアース構造が採用されているので、表示パネル(７)の両側面に対して僅かな押圧力が作用するに過ぎず、表示パネル(７)の背面には力は作用しない。
【発明の効果】
【００１３】
本発明に係る電子機器によれば、表示パネルの固定やアースに伴う外力の作用が軽減されて、表示パネルの画像欠陥の発生が効果的に抑制される。
【図面の簡単な説明】
【００１４】
【図１】図１は、本発明の一実施形態であるデジタルカメラの前面を示す斜視図である。
【図２】図２は、該デジタルカメラの背面を示す斜視図である。
【図３】図３は、該デジタルカメラの背面側の構成を示す分解斜視図である。
【図４】図４は、該デジタルカメラの背面側の構成を図３とは異なる方向から見た分解斜視図である。
【図５】図５は、液晶表示パネルとアース金具の組立状態を示す斜視図である。
【図６】図６は、該デジタルカメラの背面側の構成を示す組立斜視図である。
【図７】図７は、図６のＡ−Ａ線に沿う一部破断斜視図である。
【図８】図８は、図６のＢ−Ｂ線に沿う一部破断斜視図である。
【図９】図９は、図７のＡ部の拡大斜視図である。
【図１０】図１０は、図７のＢ部の拡大斜視図である。
【図１１】図１１は、図８のＣ部の拡大斜視図である。
【発明を実施するための形態】
【００１５】
以下、本発明をデジタルカメラに実施した形態につき、図面に沿って具体的に説明する。
本発明の一実施形態であるデジタルカメラは、図１及び図２に示す如く、フロントキャビネット(２)とバックキャビネット(３)とを互いに接合してなる筐体(１)を具え、筐体(１)の前面にはレンズ鏡筒(10)が配備され、筐体(１)の上面にはシャッター釦(11)が配備され、筐体(１)の背面には窓(31)が開設され、該窓(31)から表示部(12)が露出している。
【００１６】
筐体(１)の内部には、図３及び図４に示す如く、バックキャビネット(３)の窓(31)に面して、矩形を呈する感圧式のタッチパネル(４)が配備され、該タッチパネル(４)の背面には、タッチパネル(４)よりも稍大きな矩形のガラス板からなる透明保持板(５)が固定されて、一体のタッチパネルユニット(40)が構成されている。
【００１７】
ここで、タッチパネル(４)は、バックキャビネット(３)の窓(31)よりも僅かに小さな輪郭を有して、該窓(31)から臨出する一方、透明保持板(５)は、バックキャビネット(３)の窓(31)よりも稍大きな輪郭を有し、タッチパネル(４)の外周縁から透明保持板(５)の外周縁部(51)が突出している。
【００１８】
タッチパネルユニット(40)の背面には、枠状の両面粘着テープ(６)によって、液晶表示パネル(７)が固定される。
液晶表示パネル(７)は、グランド電位に保持すべき背面金属板(70)を具え、該背面金属板(70)は、液晶表示パネル(７)の２つの側面を形成すべき２つの側板部(71)(71)を具えている。
【００１９】
液晶表示パネル(７)の画面に表示される画像は、タッチパネルユニット(40)を透して、バックキャビネット(３)の窓(31)から視認可能であり、これによって図２に示す表示部(12)が構成される。
【００２０】
又、図３及び図４に示す如く、液晶表示パネル(７)の背面には、タッチパネルユニット(40)をバックキャビネット(３)に固定するためのホルダー金具(９)が配備されると共に、液晶表示パネル(７)の一方の側部には、液晶表示パネル(７)の背面金属板(70)をアースするためのアース金具(８)が配備される。
【００２１】
ホルダー金具(９)は板金製であって、液晶表示パネル(７)の背面よりも僅かに大きな輪郭を有して液晶表示パネル(７)の背面を覆う矩形状の背板部(94)と、背板部(94)の４辺の内、上辺及び下辺に透明保持板(５)へ向かって折り曲げ成形された２つの側板部(91)(91)と、背板部(94)の一方の側辺に透明保持板(５)へ向かって折り曲げ成形された１つの側板部(92)と、該側板部(92)の両側に突設された２つの係止片(95)(95)と、背板部(94)の他方の側辺に突設された２つの固定部(93)(93)とを具えている。
【００２２】
アース金具(８)は板金製であって、ホルダー金具(９)の２つの固定部(93)(93)に跨って両固定部(93)(93)の表面に沿う帯板状の固定部(81)と、該固定部(81)から透明保持板(５)に向かって立ち上がる側板部(82)と、該側板部(82)の両端に固定部(81)とは反対側に向けて突設された左右一対のアーム部(83)(83)とを具えている。
【００２３】
図５に示す如く、アース金具(８)は、一対のアーム部(83)(83)が液晶表示パネル(７)の背面金属板(70)の２つの側板部(71)(71)を弾性反発力によって両側から挟持する様、液晶表示パネル(７)の側部に配備される。
これによって、一対のアーム部(83)(83)の先端部が液晶表示パネル(７)の背面金属板(70)の２つの側板部(71)(71)にそれぞれ圧接されて、背面金属板(70)にアース金具(８)が電気的に接続されることになる。
【００２４】
図６〜図８に示す如く、タッチパネルユニット(40)の背面に液晶表示パネル(７)が固定され、該タッチパネルユニット(40)がバックキャビネット(３)の背面に設置され、該液晶表示パネル(７)の側部にアース金具(８)が取り付けられ、更に該液晶表示パネル(７)を覆ってホルダー金具(９)が設置された状態で、バックキャビネット(３)に配備されているグランド電位部(32)(32)の表面にアース金具(８)の固定部(81)が重なり、該アース金具(８)の固定部(81)の表面にホルダー金具(９)の固定部(93)(93)が重なることになる。
【００２５】
尚、グランド電位部(32)(32)は、例えば回路基板(図示省略)のアース部に接続された金属板によって構成される。
【００２６】
この状態で、２本のビス(90)(90)を、ホルダー金具(９)の固定部(93)(93)とアース金具(８)の固定部(81)から、バックキャビネット(３)のグランド電位部(32)(32)を貫通させて、バックキャビネット(３)へねじ込むことにより、アース金具(８)とホルダー金具(９)がバックキャビネット(３)に対して共締めされる。これによって、ホルダー金具(９)の固定部(93)(93)と、アース金具(８)の固定部(81)と、バックキャビネット(３)のグランド電位部(32)(32)とが互いに圧接されることになる。
【００２７】
又、ホルダー金具(９)の２つの係止片(95)(95)がバックキャビネット(３)の内面に形成された被係止部(図示省略)に係止される。
この結果、ホルダー金具(９)とアース金具(８)がバックキャビネット(３)の内面に固定されることになる。
【００２８】
この状態で、図９〜図１１に示す如く、ホルダー金具(９)の３つの側板部(91)(91)(92)の先端面がそれぞれ透明保持板(５)の外周縁部(51)をバックキャビネット(３)に向けて押圧すると共に、アース金具(８)の１つの側板部(82)の先端面が透明保持板(５)の外周縁部(51)をバックキャビネット(３)に向けて押圧する。
この結果、透明保持板(５)の外周縁部(51)がバックキャビネット(３)の枠部(30)の背面に圧接されて、タッチパネルユニット(40)がバックキャビネット(３)の内面に固定されることになる。
【００２９】
ここで、液晶表示パネル(７)の背面とホルダー金具(９)の背板部(94)との間には、僅かな隙間(例えば０.１〜０.２ｍｍ)が設けられると共に、液晶表示パネル(７)の側面とホルダー金具(９)及びアース金具(８)の側板部(91)(91)(92)(82)との間にも、僅かな隙間が設けられている。
従って、液晶表示パネル(７)には、ホルダー金具(９)及びアース金具(８)による固定に伴う外力は作用しない。
【００３０】
又、液晶表示パネル(７)の背面金属板(70)がアース金具(８)を介してバックキャビネット(３)上のグランド電位部(32)(32)に電気的に接続されて、液晶表示パネル(７)の背面金属板(70)がグランド電位に設定されると共に、ホルダー金具(９)がバックキャビネット(３)上のグランド電位部(32)(32)に電気的に接続されて、ホルダー金具(９)がグランド電位に保持されることになる。
【００３１】
上記デジタルカメラによれば、液晶表示パネル(７)の表面に両面粘着テープ(６)を介してタッチパネルユニット(40)の透明保持板(５)を固定し、該透明保持板(５)の外周縁部(51)を、ホルダー金具(９)とアース金具(８)を用いて、筐体(１)の枠部(30)に固定する固定構造が採用されているので、該固定構造によって液晶表示パネル(７)に外力が作用することはない。
【００３２】
又、タッチパネル(４)の表面がタッチ操作されることによってタッチパネル(４)に押圧力が作用したとしても、該押圧力は透明保持板(５)を介してホルダー金具(９)及びアース金具(８)によって受け止められ、液晶表示パネル(７)には作用しない。
【００３３】
然も、アース金具(８)の一対のアーム部(83)(83)によって、液晶表示パネル(７)の背面金属板(70)の２つの側板部(71)(71)を両側から挟持し、該アース金具(８)をグランド電位部(32)(32)に接続するアース構造が採用されているので、液晶表示パネル(７)の両側面に対して僅かな押圧力が作用するに過ぎず、表示パネル(７)の背面には力は作用しない。
【００３４】
従って、液晶表示パネル(７)には、上述の固定構造やアース構造に起因する外力は作用せず、よって、液晶表示パネル(７)の画面にモアレ画像の出現や白化(光抜け)等の画像欠陥は殆ど生じない。
【００３５】
尚、本発明の各部構成は上記実施の形態に限らず、特許請求の範囲に記載の技術的範囲内で種々の変形が可能である。例えば、タッチパネルを具えることなく、液晶表示パネル(７)の表面にスクリーンパネルとしての透明保持板(５)のみを固定した電子機器に本発明を実施することも可能である。
【００３６】
又、グランド電位部(32)は、回路基板に設けられたアース部に電気的に繋がった種々の部材によって構成することが出来る。
更に又、液晶表示パネル(７)の背面とホルダー金具(９)の背板部(94)とは、相互間に大きな接触圧力が発生しない範囲で、互いに接触させることも可能である。
【符号の説明】
【００３７】
(１)  筐体
(２)  フロントキャビネット
(３)  バックキャビネット
(31)  窓
(30)  枠部
(４)  タッチパネル
(５)  透明保持板
(40)  タッチパネルユニット
(51)  外周縁部
(６)  両面粘着テープ
(７)  液晶表示パネル
(70)  背面金属板
(71)  側板部
(８)  アース金具
(82)  側板部
(83)  アーム部
(９)  ホルダー金具
(91)  側板部
(92)  側板部
【図１】
2014126734.tif 000003
【図２】
2014126734.tif 000004
【図３】
2014126734.tif 000005
【図４】
2014126734.tif 000006
【図５】
2014126734.tif 000007
【図６】
2014126734.tif 000008
【図７】
2014126734.tif 000009
【図８】
2014126734.tif 000010
【図９】
2014126734.tif 000011
【図１０】
2014126734.tif 000012
【図１１】
2014126734.tif 000013
【手続補正書】
【提出日】平成25年3月5日(2013.3.5)
【手続補正１】
【補正対象書類名】特許請求の範囲
【補正対象項目名】請求項２
【補正方法】変更
【補正の内容】
【請求項２】
前記ホルダー金具は、前記表示パネルの３つの側面を覆う３つの側板部を具えると共に、前記アース金具は、前記表示パネルの残りの１つの側面を覆う１つの側板部を具え、ホルダー金具の３つの側板部とアース金具の１つの側板部の先端面が透明保持板の外周縁部を押圧する請求項１に記載の電子機器。
【手続補正２】
【補正対象書類名】図面
【補正対象項目名】図１１
【補正方法】変更
【補正の内容】
【図１１】
2014126734.tif 000014